(57)【特許請求の範囲】
【請求項１】
容器内部に薬剤を収容した薬剤収容部を設け、前記容器内に水が供給されるように前記容器を男子用小便器又は水洗トイレ用貯水タンク内に配置し、
前記水の一部が前記薬剤収容部に収容された薬剤の一部又は全部を溶解して所定濃度の薬液が容器内部で生成され、前記容器に供給される水の単位時間当りの量が減少した際又は途絶えた際に、前記薬液を前記容器外へ流出させるようにしたことを特徴とする水洗トイレ用薬液供給装置。
【請求項２】
前記容器を男子用小便器に設置した際に、男子用小便器の水吐出壁に前記容器を吸盤で着脱可能に設置した請求項１に記載の水洗トイレ用薬液供給装置。
【請求項３】
前記容器内に所定量以上の水が供給されるように第１ガイド部材を設けた請求項１又は請求項２に記載の水洗トイレ用薬液供給装置。
【請求項４】
前記容器を男子用小便器に設置した際に、水吐出壁に沿って薬液が流れ落ちるように第２ガイド部材を設けた請求項１〜３のうちのいずれかに記載の水洗トイレ用薬液供給装置。
【請求項５】
前記容器内で所定濃度の薬液が生成されるように、容器内に供給された水の容器外への単位時間当りの流出量を調整する調整手段を設けた請求項１〜４のうちのいずれかに記載の水洗トイレ用薬液供給装置。
【発明の詳細な説明】
【０００１】
【発明の属する技術分野】
本発明は、固形薬剤を水に溶解させ、消臭，殺菌，芳香及び洗浄効果等を提供する薬液を生成し、トイレを使用する度に所定量の薬液を便器に供給する薬液供給装置に関するものである。
【０００２】
【従来の技術】
図１１は、従来の薬液供給装置２００を設置した男子用小便器９０の正面図である。従来の薬液供給装置２００では、男子用小便器９０に水を供給する水道管９１にバイパス管９２を設け、小便が水に流された後に薬液がバイパス管９１を介して男子用小便器９０に供給される。
【０００３】
男子用小便器９０に供給された薬液は、洗浄効果（悪臭の発生や汚物による詰まりの防止効果）を奏し、薬液供給装置２００では、小便が水で流された後に薬液を供給することにより洗浄効果を高めている。
【０００４】
このような薬液供給装置２００は、図１１に示すように水道管９１に薬液を供給するためのバイパス管９２を設置する工事が必要であり、その工事は水道管工事に携わる有資格者でなければ実施することができない。
【０００５】
また、昨今は、男子用小便器９０を設置する壁９７の中に水道管９１が収容された美感に優れたトイレが増加しており、水道管９１に細工を施す工事の実施は困難になりつつある。
【０００６】
さらに図１１に示す薬液供給装置２００以外の従来の薬液供給装置には、図１１の流水吐出孔９４から供給される水に薬剤を溶解させて、終始濃度の薄い薬液が流れるようにしたものが存在するが、このような薬液供給装置は、薬剤の消耗の度合いが大きい割には薬液供給装置２００と比較して洗浄効果が小さく、尿の結晶化を阻止したり尿石を分解する効能が小さかった。
【０００７】
【発明が解決しようとする課題】
そこで本発明では、簡単に装着可能で十分な洗浄効果，消臭効果，芳香効果及び殺菌効果を奏することができる薬液供給装置を提供することを課題とする。
【０００８】
【課題を解決するための手段】
上記課題を解決するため請求項１の発明では、容器内部に薬剤を収容した薬剤収容部を設け、前記容器内に水が供給されるように前記容器を男子用小便器又は水洗トイレ用貯水タンク内に配置し、前記水の一部が前記薬剤収容部に収容された薬剤の一部又は全部を溶解して所定濃度の薬液が容器内部で生成され、前記容器に供給される水の単位時間当りの量が減少した際又は途絶えた際に、前記薬液を前記容器外へ流出させるようにした。
請求項２の発明では請求項１の発明において、前記容器を男子用小便器に設置した際に、男子用小便器の水吐出壁に前記容器を吸盤で着脱可能に設置した。
請求項３の発明では請求項１又は請求項２の発明において、前記容器内に所定量以上の水が供給されるように第１ガイド部材を設けた。
請求項４の発明では、請求項１〜３の発明のうちのいずれかにおいて、前記容器を男子用小便器に設置した際に、水吐出壁に沿って薬液が流れ落ちるように第２ガイド部材を設けた。
請求項５の発明では、請求項１〜４の発明うちのいずれかにおいて、前記容器内で所定濃度の薬液が生成されるように、容器内に供給された水の容器外への単位時間当りの流出量を調整する調整手段を設けた。
【０００９】
【発明の実施の形態】
図１は、請求項１〜５の発明を実施した薬液供給装置１００の正面図である。また、図２は図１の薬液供給装置１００の背面図であり、図３は図２のIII−III断面略図である。薬液供給装置１００は、本体１，蓋２，吸盤５（図２）から構成されている。
【００１０】
図５は、本体１の縦断側面図であり、また、図６（ａ）は蓋２の縦断側面図であり、図６（ｂ）は図６（ａ）のＢ−Ｂ矢視図である。図５に示すように本体１は内部が空洞になっており、内部の側面には蓋２（図６）を設置するためのガイド１０が設けてある。ガイド１０には上方が開いた溝１０ａが設けてある。
【００１１】
図６（ａ），図６（ｂ）に示す蓋２は、支柱部２１と閉塞部材２３とで形成されており、両者はヒンジ部２２で回動可能に連結されている。閉塞部材２３には取手部２３ａが設けてある。支柱部２１の前面には上方が開口しかつ多数の孔２４ａが設けられた薬剤収容部２４が設けてある。
【００１２】
また、支柱部２１の後面には落下する流水の方向を変更する流路変更部材２５が設けてある。図３に示す薬液供給装置１００に供給された流水は、流路変更部材２５に衝突して直接下部長孔１４（後述）から薬液供給装置１００の外部へ流出することができないようになっている。
【００１３】
さらに支柱部２１の両端には、ガイド１０の溝１０ａ（図５）に係合する突起部２１ａ（図６（ｂ））が設けてある。突起部２１ａを溝１０ａに係合させて蓋２を本体１に固定すると、両者は図３に示すような位置関係となる。すなわち、支柱部２１の上端にヒンジ部２２を介して連結した閉塞部材２３が、図３に示すように本体１の上端の縁に沿って係合し、薬剤供給装置１００内へ異物が侵入することを防止している。
【００１４】
また、取手部２３ａに指を引っ掛けて閉塞部材２３を図３に破線で示すように回動させると、薬剤２６を薬剤収容部２４（図６（ａ））へ入れたり、使用中の薬剤２６の消耗量を確認することが容易にできる。
【００１５】
図２に明瞭に示しているが、本体１の後方側の両端付近には上下に貫通した孔１１，１２が設けてある。孔１１と１２の間には、本体１の内部と外部とを連通させる上部長孔１３及び下部長孔１４が設けられた壁１５が形成されている。
【００１６】
図３に示すように壁１５と支柱部２１の間には、貯水領域３１が形成されており、支柱部２１の壁１５とは反対側には薬液領域３２が形成されている。貯水領域３１と薬液領域３２は、支柱部２１の下部両端で連通している。また、貯水領域３１の上方には開口部３０が形成されている。
【００１７】
また、図２に示すように下部長孔１４の上下近傍には、下部長孔１４と平行な１組のレール１６が設けてある。このレール１６に沿って遮蔽部材１７が矢印Ａで示す方向（水平方向）に移動可能に設置されている。遮蔽部材１７の本体１に対する静止位置を変更することにより下部長孔１４を塞いで水を外部へ流出させる流路面積を変更することができる。
【００１８】
図７は、図２のVII−VII断面図（下部長孔１４近傍のみ）である。また、図８（ａ）は、レール１６に遮蔽部材１７を係合させ、全開状態にした下部長孔１４の正面図である。さらに図８（ｂ）は、レール１６に遮蔽部材１７を係合させ、半開状態にした下部長孔１４の正面図である。
【００１９】
図８（ａ）または図８（ｂ）に示すように遮蔽部材１７には上下のレール１６の間にちょうど収容されるストッパ１７ａが設けてある。また、レール１６の図８（ａ）で見て左端には上下のレール１６を連続させるストッパ１６ａが設けてある。
【００２０】
遮蔽部材１７のストッパ１７ａを設けていない側を左方に配置してレール１６の右端側から図７に示すようにレール１６に係合させ、ストッパ１６ａとストッパ１７ａとが衝突すると遮蔽部材１７はそれ以上は左方へ移動できなくなり、このとき、下部長孔１４は図８（ａ）に示すように全開状態となっている。
【００２１】
図８（ｂ）では遮蔽部材１７が図８（ａ）で示す位置から右方へ移動しており、図８（ｂ）では下部長孔１４は半開状態（半分が遮蔽され、水の流路が半分だけ確保された状態）になっている。
【００２２】
このようにレール１６と係合した遮蔽部材１７を停止させる位置を変更することにより、壁１５（図２）に設けた下部長孔１４を部分的に遮蔽し、下部長孔１４に対する遮蔽量を調整して薬液供給装置１００（図１）内の水の単位時間当りの流出量を調整することができるようになっている。
【００２３】
図５に示すように本体１に設けた孔１１，１２には、上方から第１ガイド部材３が挿入（圧入）されており、また、下方から第２ガイド部材４が挿入（圧入）されている。第１ガイド部材３及び第２ガイド部材４は、薬液供給装置１００を装着する便器内壁４５（図３）に押し付けられるので、しなやかに変形するゴム等の弾性素材により形成するのが望ましい。
【００２４】
図５に示すように、孔１１，１２の外壁には吸盤５を固定する軸受１８が固着されている。吸盤５は、軸受１８を中心に許容範囲内で向きを変更することができるようになっている。軸受１８を介して吸盤５を本体１に装着することにより、便器内壁４５が湾曲していても吸盤５の向きを変更して容易に薬液供給装置１００を装着することができる。
【００２５】
次に、薬液供給装置１００の作用を説明する。図１０は、トイレ壁４１に設置された男子用小便器４０の正面略図である。図３に示すように薬液供給装置１００を吸盤５で男子用小便器４０の便器内壁４５に装着する。図１０に示すように流水吐出孔４２の直下に薬液供給装置１００を装着するのが好ましい。
【００２６】
吸盤５で薬液供給装置１００を便器内壁４５に装着すると、第１ガイド部材３と第２ガイド部材４は、図３に示すように便器内壁４５に沿って屈曲（又は湾曲）する。薬剤収容部２４には固形の薬剤６を入れておく。
【００２７】
トイレが使用され、流水吐出孔４２（図３）から吐出された水は、矢印で示すように第１ガイド部材３に沿って開口部３０から貯水領域３１内に流入する。貯水領域３１内に流入した水は、流路変更部材２５により流路が変更されて、本体１の下面と支柱部２１の間に形成された隙間３３から薬液領域３２内へと流入する。
【００２８】
貯水領域３１及び薬液領域３２の水位が上昇するように、下部長孔１４から流出する水量を遮蔽部材１７（図２）をスライドさせて調整しておく。この調整は、トイレが使用される度に行う必要はなく、水量が変化しない限り薬液供給装置１００を設置した際に１度行うだけでよい。
【００２９】
貯水領域３１内の水位が上部長孔１３よりも高くなると、上部長孔１３より高い位置の水は上部長孔１３から外部へ流出（オーバーフロー）する。流出した水は、第２ガイド部材４を伝って便器内壁４５側へ流れ、第２ガイド部材４より下方では便器内壁４５に沿って流下する。
【００３０】
一方、薬液領域３２内では、薬剤６の一部が溶解して薬液が生成されている。この薬液は、貯水領域３１内の水位が薬液領域３２よりも高い間は水圧の関係で隙間３３から貯水領域３１内へは流出せず、当初は薬液が混入していない水のみが下部長孔１４及び上部長孔１３から流出する。
【００３１】
流水吐出孔４２から供給される水の量が減少するか、又は途絶えると貯水領域３１内の水位は次第に低下し、図４に示すように貯水領域３１内の水位が薬液領域３２内の水位と等しくなったときに初めて薬液が隙間３３を介して貯水領域３１内へ流入する。ここで薬液領域３２内の薬液と貯水領域３１内の水とが混合し、所定濃度の薬液が下部長孔１４から外部へ流出し、第２ガイド部材４を伝って便器内壁４５沿いに流れ落ちる。
【００３２】
貯水領域３１内の水位と薬液領域３２内の水位とが等しくなる際の両者の容積を予め好ましい値に設定しておくと、薬液の濃度を効果的な値に設定することができる。
【００３３】
第２ガイド部材４の便器内壁４５との接触部分を、図１に示すように波型に形成しておき、山部分のみが便器内壁４５と接触し、谷部分は便器内壁４５から離間した状態にしておくと、水及び薬液は、確実に第２ガイド部材４を伝って便器内壁４５に到達し、便器内壁４５に沿って流下させることができる。
【００３４】
このように薬液供給装置１００を使用すると、大半の水が流れた後に所定濃度の薬液を流下させることができ、便器内壁４５，排液口４４及び排液管４３に対して良好な洗浄効果，消臭効果，芳香効果又は殺菌効果等を奏することができる。
【００３５】
図３に示す例では、薬液供給装置１００は吸盤５で便器内壁４５に装着するようにしたが、粘着テープ，両面テープを使用して装着することもできる。また、流水吐出孔４２に針金等を引っ掛けて薬液供給装置１００を設置することもできる。
【００３６】
図９は、図３の薬液供給装置１００とは別の請求項１〜５の発明を実施した薬液供給装置１１０の縦断側面図である。薬液供給装置１１０では、薬液供給装置１００のように閉塞部材２３に相当する屋根が存在せず、上部は開いている。また、図３の薬液供給装置１００が支柱部２１で貯水領域３１と薬液領域３２とを仕切っているのに対し、図９の薬液供給装置１１０では仕切壁３５が設けてある。
【００３７】
仕切壁３５の両端は、本体３４の内部と一体成形されており、仕切壁３５の下端と本体１の下面の間には隙間３６が形成されている。また、仕切壁３５の前面側には薬剤収容部２４が設けてある。仕切壁３５の前面側には薬液領域３２が形成されており、後面側には貯水領域３１が形成されている。貯水領域３１と薬液領域３２の間は、隙間３６で連通している。
【００３８】
薬液供給装置１１０のその他の構成は、薬液供給装置１００の構成と同じである。薬液供給装置１１０は、機能的には薬液供給装置１００より劣るが、十分に請求項１〜５の発明の効果を奏することが可能である。
【００３９】
薬液供給装置１００（図３）及び１１０（図９）は、主に男子用小便器４０に装着すると大きな効果が得られるが、タンク貯水式のトイレに対して実施することもできる。その際には、タンク内に一様に広がった所定濃度の薬液が、トイレを使用する度に流され、次回に使用される水がタンク内に供給される際にタンク内に薬液を供給する。
【００４０】
従来は、薬剤をタンク内の水に漬けておくため、薬剤の濃度が使用される度に異なり、消耗も激しく不経済であったが、薬液供給装置１００や１１０を使用すると、常に一定濃度の薬液を供給することができる。
【００４１】
薬液供給装置１００及び１１０は、流水に薬剤が晒される従来の装置と比較して約１．５〜３倍程度薬剤６の使用期間を延ばすことができ、メンテナンス間隔を延ばすことが可能である。また、薬液が洗浄効果を奏する前に排出されることを回避することができ、少量の薬液で十分な洗浄効果，消臭効果，芳香効果及び殺菌効果を奏することができる。
【００４２】
【発明の効果】
請求項１の発明では、薬液供給装置１００（容器内）に流入した水の一部が薬剤収容部２４に収容された薬剤６の一部又は全部を溶解して所定濃度の薬液が容器内部（薬液領域３２）で生成され、薬液供給装置１００に供給される水の単位時間当りの量が減少した際又は途絶えた際に、薬液を便器内壁４５へ流出させるようにしたので尿が結晶化することを良好に防止することができ、高い洗浄効果，消臭効果，芳香効果及び殺菌効果を奏することができる。
【００４３】
薬液供給装置１００は、便器内壁４５に直接装着するので、水道管に細工を施す工事が不要であり、水道管工事を施行する資格を持たない者でも簡単に設置することができる。
【００４４】
さらに、薬剤６は、薬液領域３２内の水位が上昇した際に水と接触して溶解し、流速の速い流水に晒されることがなく、不必要に消耗することを回避することができる。したがって、請求項１の発明による薬液供給装置１００は、流水により汚物や尿が洗い流された後に濃度の高い薬液を便器内壁４５に供給することができ、薬剤６の消耗量が従来よりも少ない上に従来よりも高い洗浄効果，芳香効果及び殺菌効果を奏することができ、経済的である。
【００４５】
請求項２の発明では、薬液供給装置１００を吸盤５で便器内壁４５（水吐出壁）に装着させるので着脱が容易であり、しかも便器内壁４５に装着跡（糊や傷等）を残さずに済む。
【００４６】
請求項３の発明では、薬液供給装置１００に第１ガイド部材３を設けたので、十分な量及び濃度の薬液を生成するのに必要な量の水を確実に薬液供給装置１００内に供給することができる。
【００４７】
請求項４の発明では、薬液供給装置１００に第２ガイド部材４を設けたので、水や薬液は第２ガイド部材４を伝って便器内壁４５に到達し、便器内壁４５に沿って流れ落ち、便器内壁４５に付着した汚物を洗い落とすことができ、便器内壁４５の洗浄効果，芳香効果及び殺菌効果を高めることができる。また、第２ガイド部材４を設けると、水や薬液が薬液供給装置１００から滴り落ちることを防止することができ、視覚性（美感）の悪化を回避することができる。
【００４８】
請求項５の発明では、薬液供給装置１００，１１０に下部長孔１４から流出する水の単位時間当りの量を調整する遮蔽部材１７を設けたので、流水吐出孔４２から供給される水の量に応じて薬液領域３２内で十分な量及び濃度の薬液が生成されるように調整することができる。すなわち、流水吐出孔４２から供給される水の量が少なければ、遮蔽部材１７が下部長孔１４を閉じる流路面積の大きさが大きくなるように調整することができる。
【図面の簡単な説明】
【図１】  請求項１〜５の発明を実施した薬液供給装置の正面図である。
【図２】  図１の薬液供給装置の背面図である。
【図３】  図２のIII−III断面略図である。
【図４】  図３において、貯水領域内の水位と薬液領域内の水位とが一致し、薬液が流出する際の薬液供給装置の縦断側面図である。
【図５】  本体の縦断側面図である。
【図６】  （ａ）は、蓋２の側面図である。（ｂ）は、（ａ）のＢ−Ｂ矢視図である。
【図７】  図２のVII−VII断面図（下部長孔近傍のみ）である。
【図８】  （ａ）は、レールに遮蔽部材を係合させ、全開状態にした下部長孔の正面図である。（ｂ）は、レールに遮蔽部材を係合させ、半開状態にした下部長孔の正面図である。
【図９】  図３の薬液供給装置とは別の請求項１〜５の発明を実施した薬液供給装置の縦断側面図である。
【図１０】  請求項１〜５の発明を実施した薬液供給装置が装着された男子用小便器の正面図である。
【図１１】  従来の薬液供給装置を設置した男子用小便器の正面図である。
【符号の説明】
１    本体
２    蓋
３    第１ガイド部材
４    第２ガイド部材
５    吸盤
６    薬剤
１０  ガイド
１０ａ  溝
１１，１２  孔
１３  上部長孔
１４  下部長孔
１５  壁
１６  レール（調整手段）
１７  遮蔽部材（調整手段）
１８  軸受
２１  支柱部
２２  ヒンジ部
２３  閉塞部材
２４  薬剤収容部
２５  流路変更部材
３０  開口部
３１  貯水領域
３２  薬液領域
３３  隙間
３４  本体
３５  仕切壁
３６  隙間
４０  男子用小便器
４１  トイレ壁
４２  流水吐出孔
４３  排液管
４４  排液口
４５  便器内壁
１００，１１０  薬液供給装置
【図１】
0003801930.tif 000002
【図２】
0003801930.tif 000003
【図３】
0003801930.tif 000004
【図４】
0003801930.tif 000005
【図５】
0003801930.tif 000006
【図６】
0003801930.tif 000007
【図７】
0003801930.tif 000008
【図８】
0003801930.tif 000009
【図９】
0003801930.tif 000010
【図１０】
0003801930.tif 000011
【図１１】
0003801930.tif 000012